(57)【要約】本発明は一種の便利に鍵を設定したり、取り消ししたりして複数・多種類ロックの全ての鍵を１つに統一でき、低コスト・使用便利のスマート電子ロックの提供を目的とする。スマートロックはハウジング、バッテリ、ヘッド、ヘッド上の接点組およびメモリ装置から構成され、電源供給およびデータ伝送用接点組の各接点はリード線を通じバッテリ（２）の両端およびメモリ装置（６）に接続し、前記メモリ装置（６）は不揮発性メモリであり、プリセットされた専門鍵暗証番号を１つ保存できる。
2004514080.tif 000002
【特許請求の範囲】
【請求項１】
電子鍵ハウジング（１）、バッテリ（２）、ヘッド（５）、ヘッド上の接点組（４）およびメモリ装置を含み、電力供給およびデータ伝送用接点組（４）の各接点がそれぞれリード線を通じてバッテリ（２）の両端およびメモリ装置（６）に接続し、該メモリ装置（６）は不揮発性メモリであり、プリセットされた専門鍵暗証番号を１つ保存できる電子鍵と、ハウジング（８）、ロックホール（７）、ロックコア（９）、留め金装置（１０）、伝動機構（１１）、駆動ユニット（１２）、回路ボード（１５）、電子鍵と電気的接続用接点組（１７）およびロックホール体（１８）から構成され、前記回路ボード（１５）は、駆動ユニット（１２）およびロックホール（７）内に設置した電力供給およびデータ伝送用接点組に電気的接続し、複数の暗証番号を保存したメモリ装置（１３）と、ロックの開きを制御して鍵に対して設定操作および取り消し操作をする制御装置（１６）とを含むスマートロックとを含み、前記制御装置（１６）は接点組（１７）を通じて接続した鍵内の暗証番号を読み取って該暗証番号がメモリ装置（１３）で保存した複数の鍵暗証番号の１つと一致かどうかをチェックし、一致する場合、駆動ユニット（１２）を制御してロックを開かれる状態にし、前記制御装置（１６）は受信した特定信号によりこの受信した特定信号に対応した電子鍵の設定操作または取り消し操作を実行し、前記スマートロックと、電子鍵との２つのユニットに１つのユニットだけに１つの使用者操作用スイッチ装置を有し、使用者の前記スイッチ装置に対する操作によって前記特定信号が発生することを特徴とするスマートロックシステム。
【請求項２】
前記制御装置（１６）はロックホール（７）を通じて１つの前記ロックを開ける電子鍵に接続してひとつの第１特定信号を受信したとき、回路ボード（１５）内の１つの不揮発性メモリユニットで１つの対応する標識を作成することにより、前記ロックホール（７）に差込まれて該ロックを開けた電子鍵が抜き出された後、次の電子鍵が差込まれたときに制御装置（１６）は前記標識により前記差込まれた次の電子鍵の暗証番号をメモリ装置（１３）に保存することを特徴とする請求項１記載のスマートロックシステム。
【請求項３】
前記制御装置（１６）はロックホール（７）を通じて１つの前記ロックを開ける電子鍵に接続して１つの第２特定信号を受信したときに、該第２特定信号によりメモリ装置（１３）で保存した鍵暗証番号を全てクリアすることを特徴とする請求項１記載のスマートロックシステム。
【請求項４】
前記制御装置（１６）がロックホール（７）を通じて１つの前記ロックを開ける電子鍵に接続して１つの第３特定信号を受信したとき、前記制御装置（１６）はメモリ装置（１３）内の鍵暗証番号を全てクリアし、前記ロックホール（７）に差込まれた電子鍵が抜き出された後、次の電子鍵が差込まれたときに、制御装置（１６）は差込まれた前記次の電子鍵の暗証番号をメモリ装置（１３）に保存することを特徴とする請求項１記載のスマートロックシステム。
【請求項５】
前記制御装置（１６）がロックホール（７）を通じて１つの前記ロックを開ける電子鍵に接続して１つの第４特定信号を受信したとき、メモリ装置（１３）で保存した鍵の暗証番号を全てクリアすることを特徴とする請求項１記載のスマートロックシステム。
【請求項６】
ハウジング（１）、バッテリ（２）、ヘッド（５）、ヘッド上の接点組（４）およびメモリ装置を含み、電力供給およびデータ伝送用接点組（４）の各接点がそれぞれリード線を通じてバッテリ（２）の両端およびメモリ装置（６）に接続し、該メモリ装置（６）は不揮発性メモリであり、プリセットされた専門鍵暗証番号を１つ保存できる電子鍵と、ハウジング（８）、ロックホール（７）、ロックコア（９）、留め金装置（１０）、伝動機構（１１）、駆動ユニット（１２）、回路ボード（１５）、電子鍵と電気的接続用接点組（１７）およびロックホール体（１８）から構成され、前記回路ボード（１５）は、駆動ユニット（１２）およびロックホール（７）内に設置した電力供給およびデータ伝送用接点組に電気的接続し、複数の暗証番号を保存したメモリ装置（１３）と、ロックの開きを制御して鍵に対して設定操作および取り消し操作をする制御装置（１６）とを含むスマートロックとを含み、前記制御装置（１６）は接点組（１７）を通じて接続した鍵内の暗証番号を読み取って該暗証番号がメモリ装置（１３）で保存した複数の鍵暗証番号の１つと一致かどうかをチェックし、一致する場合、駆動ユニット（１２）を制御してロックを開かれる状態にし、前記制御装置（１６）は受信した特定信号によりこの受信した特定信号に対応した電子鍵の設定操作または取り消し操作を実行し、少なくとも２つの電子鍵の接点組をロックホール（７）の接点組（１７）と電気的接続させるコネクタを含み、該コネクタはハウジング（１９）、差込みロックホール（７）のプラグ（２３）、鍵差込可能の少なくとも第１差込みホール（２０）および第２差込みホール（２１）から構成され、プラグ（２３）に接点組（２２）を有し、第１差込みホール（２０）および第２差込みホール（２１）にプラグ（２３）の接点組と対応して接続する接点組（２２）を有し、前記スマートロックと、コネクタと電子鍵との３つのユニットに１つのユニットだけに１つの使用者操作用スイッチ装置を有し、使用者の前記スイッチ装置に対する操作によって前記特定信号が発生し、設定操作する場合、前記コネクタをロックホール（７）に差込み、制御装置（１６）は第１差込みホール（２０）と第２差込みホール（２１）の２つの電子鍵の鍵暗証番号を別々に読み取って、１つの鍵暗証番号がメモリ装置（１３）で保存した暗証番号の１つと一致する場合、もう１つの鍵暗証番号をメモリ装置（１３）に保存することを特徴とするスマートロックシステム。
【請求項７】
ハウジング（１）、バッテリ（２）、ヘッド（５）、ヘッド上の接点組（４）およびメモリ装置を含み、電力供給およびデータ伝送用接点組（４）の各接点がそれぞれリード線を通じてバッテリ（２）の両端およびメモリ装置（６）に接続し、該メモリ装置（６）は不揮発性メモリであり、プリセットされた専門鍵暗証番号を１つ保存できる電子鍵と、ハウジング（８）、ロックホール（７）、ロックコア（９）、留め金装置（１０）、伝動機構（１１）、駆動ユニット（１２）、回路ボード（１５）、電子鍵と電気的接続用接点組（１７）およびロックホール体（１８）から構成され、前記回路ボード（１５）は、駆動ユニット（１２）およびロックホール（７）内に設置した電力供給およびデータ伝送用接点組に電気的接続し、複数の暗証番号を保存したメモリ装置（１３）と、ロックの開きを制御して鍵に対して設定操作および取り消し操作をする制御装置（１６）とを含むスマートロックとを含み、前記制御装置（１６）は接点組（１７）を通じて接続した鍵内の暗証番号を読み取って該暗証番号がメモリ装置（１３）で保存した複数の鍵暗証番号の１つと一致かどうかをチェックし、一致する場合、駆動ユニット（１２）を制御してロックを開かれる状態にし、前記制御装置（１６）は受信した特定信号によりこの受信した特定信号に対応した電子鍵の設定操作または取り消し操作を実行し、少なくとも２つの電子鍵の接点組をロックホール（７）の接点組（１７）と電気的接続させるコネクタを含み、該コネクタはハウジング（１９）、差込みロックホール（７）のプラグ（２３）、鍵差込可能の少なくとも第１差込みホール（２０）および第２差込みホール（２１）から構成され、プラグ（２３）に接点組（２２）を有し、第１差込みホール（２０）および第２差込みホール（２１）にプラグ（２３）の接点組と対応して接続する接点組（２２）を有し、鍵設定または取り消し操作用設定ツールを含み、該設定ツールはハウジング（２５）、鍵差込ホール（２６）、１つのプラグを含むコネクタ（２８）およびメモリユニットを含むＩＣ（２４）から構成され、前記プラグに接点組（２７）を有し、スマートロックのロックホール（７）に差込んでその中の接点組（１７）に接続することができ、鍵差込ホール（２６）の中に前記プラグの接点組に接続する接点組（２７）を有し、該接点組（２７）はＩＣ（２４）に接続し、ＩＣ（２４）の中に１つのプリセットされた前記設定ツールの暗証番号を保存し、前記メモリ装置（１３）は１つの前記設定ツール暗証番号保存用特定保存ユニットを含み、前記スマートロックと電子鍵と設定ツールとの３つのユニットに１つのユニットだけに１つの使用者操作用スイッチ装置を有し、使用者の前記スイッチ装置に対する操作によって前記特定信号が発生することを特徴とするスマートロックシステム。
【請求項８】
前記制御装置（１６）は接点組（１７）を通じて接続した設定ツールの暗証番号を読み取って、該暗証番号がメモリ装置（１３）の特定保存ユニットでの設定ツール暗証番号と一致するかどうかをチェックし、一致する場合、制御装置（１６）は受信した特定信号により鍵または同時に設定ツールに対して設定操作または取り消し操作を実行することを特徴とする請求項７記載のスマートロックシステム。
【請求項９】
前記設定ツールをスマートロックのロックホールに差込み、同時に差込みホール（２６）に１つの電子鍵が差込まれているとき、スマートロックが前記設定ツールの暗証番号を認定した場合、設定ツールの差込みホール（２６）に差込まれている電子鍵の暗証番号がスマートロックに保存されることを特徴とする請求項７記載のスマートロックシステム。
【請求項１０】
前記設定ツールをスマートロックのロックホールに差込み、同時に差込みホール（２６）に１つの電子鍵が差込まれているとき、スマートロックに前記設定ツールの暗証番号を有する場合、前記スマートロックは特定信号により制御装置（１６）でスマートロックに接続した鍵暗証番号をクリアするか、全ての鍵暗証番号をクリアするか、または全ての鍵暗証番号と設定ツール暗証番号をクリアすることを特徴とする請求項７記載のスマートロックシステム。
【請求項１１】
前記設定ツールの設定操作は前記ロックに差込まれた設定ツール内の暗証番号をメモリ装置（１３）に保存する操作であり、前記設定ツールの取り消し操作は前記ロックに差込まれた設定ツール内の暗証番号をメモリ装置（１３）からクリアする操作であることを特徴とする請求項８記載のスマートロックシステム。
【請求項１２】
前記設定ツールがスマートロックのロックホールに差込まれ、同時に差込みホール（２６）に１つの電子鍵が差込まれているとき、メモリ装置（１３）に前記設定ツールの暗証番号がない場合、制御装置（１６）は設定ツールの暗証番号をメモリ装置（１３）特定保存ユニットに保存することを特徴とする請求項７または１１記載のスマートロックシステム。
【請求項１３】
ハウジング（１）、バッテリ（２）、ヘッド（５）、ヘッド上の接点組（４）およびメモリ装置を含み、電力供給およびデータ伝送用接点組（４）の各接点がそれぞれリード線を通じてバッテリ（２）の両端およびメモリ装置（６）に接続し、該メモリ装置（６）は不揮発性メモリであり、プリセットされた専門鍵暗証番号を１つ保存できる電子鍵と、ハウジング（８）、ロックホール（７）、ロックコア（９）、留め金装置（１０）、伝動機構（１１）、駆動ユニット（１２）、回路ボード（１５）、電子鍵と電気的接続用接点組（１７）およびロックホール体（１８）から構成され、前記回路ボード（１５）は、駆動ユニット（１２）およびロックホール（７）内に設置した電力供給およびデータ伝送用接点組に電気的接続し、複数の暗証番号を保存したメモリ装置（１３）と、ロックの開きを制御して鍵に対して設定操作および取り消し操作をする制御装置（１６）とを含むスマートロックとを含み、前記制御装置（１６）は接点組（１７）を通じて接続した鍵内の暗証番号を読み取って該暗証番号がメモリ装置（１３）で保存した複数の鍵暗証番号の１つと一致かどうかをチェックし、一致する場合、駆動ユニット（１２）を制御してロックを開かれる状態にし、前記制御装置（１６）は受信した特定信号によりこの受信した特定信号に対応した電子鍵の設定操作または取り消し操作を実行し、前記スマートロックの中に、１つの使用者操作用で、制御装置（１６）に何桁かの暗証番号を入力する多桁デジタルスイッチ装置をも含み、前記装置は制御装置（１６）に接続し、メモリ装置（１３）の中に１つの鍵設定または鍵取り消し用特定暗証ユニットを有し、前記制御装置（１６）は前記多桁デジタルスイッチ装置入力の特定暗証番号を受信して、それがメモリ装置（１３）内の特定暗証番号と一致するかどうかをチェックして対応の電子鍵設定操作または取り消し操作を実行することを特徴とするスマートロックシステム。
【請求項１４】
電子鍵およびスマートロックと設定で使用する設定ツールにおいて、ハウジング（２５）、鍵差込ホール（２６）、１つのプラグを含むコネクタ（２８）およびメモリユニットを含むＩＣ（２４）から構成され、前記プラグに接点組（２７）を有し、スマートロックのロックホール（７）に差込んでその中の接点組（１７）に接続することができ、鍵差込ホール（２６）の中に前記プラグの接点組に接続する接点組（２７）を有し、接点組（２７）はＩＣ（２４）に接続し、ＩＣ（２４）の中に１つのプリセットされた前記設定ツールの暗証番号を保存することを特徴とする設定ツール。
【請求項１５】
１つの使用者操作用スイッチ装置を含み、使用者の前記スイッチ装置に対しての操作によって接点ユニット（２７）で前記操作対応の特定信号が発生することを特徴とする請求項１４記載の設定ツール。
【請求項１６】
スマートロックはそれに電気的接続している少なくとも１つの電子鍵から電力を取得して動作するステップと、前記少なくとも１つの電子鍵内の暗証番号がプリセットに前記スマートロック内で保存した暗証番号の１つと一致するかどうかを判断し、一致する場合、スマートロックは電子鍵に対して設定操作または取り消し操作を実行できるようになるステップと、スマートロックは１つの電子鍵設定操作または取り消し操作の実行を要求する特定信号により、前記特定信号対応の電子鍵設定操作または取り消し操作を実行するステップと、を含むスマートロックを利用してそれとセットする電子鍵に対して設定操作を実行する方法において、前記電子鍵はバッテリおよびそれに保存した専門暗証番号を有し、前記スマートロック内に前記ロックを開ける全ての電子鍵の暗証番号が保存されていることを特徴とする方法。
【請求項１７】
１つの前記ロックを開ける鍵でもう１つの鍵に対して設定操作または取り消し操作を実行するステップ（４）も含み、該ステップ（４）は１つの鍵とロックと電気的接続するコネクタで実現したのであることを特徴とする請求項１６記載の方法。
【請求項１８】
前記特定信号は使用者の１つのスイッチ装置に対しする操作によって発生したものであり、前記スイッチ装置はスマートロック、電子鍵またはコネクタのいずれのユニットにあることを特徴とする請求項１６記載の方法。
【請求項１９】
スマートロックおよび設定ツールはそれに電気的接続している電子鍵から電力を取得して動作するステップ（１）と、設定ツール内の暗証番号がプリセットに前記スマートロック内で保存した設定ツールの暗証番号と一致するかどうかを判断し、一致する場合、前記設定ツールで電子鍵またはその自身に対して設定操作または取り消し操作を実行できるようになるステップ（２）と、接続した鍵と設定ツールに対して設定操作または取り消し操作を実行するステップ（３）と、を含む設定ツールを使ってスマートロックとセットした電子鍵に対して設定操作を実行する方法において、前記電子鍵はバッテリおよびそれに保存した専門暗証番号を有し、前記スマートロック内に前記ロックを開ける全ての電子鍵の暗証番号および１つの設定ツールの暗証番号を保存し、前記設定ツールはスマートロックに接続してそれにより電子鍵と前記スマートロックとが電気的接続することを特徴とする方法。
【請求項２０】
前記設定操作を実行したとき、前記設定ツールをスマートロックホールに差込み、同時に設定ツール差込みホール（２６）に１つの電子鍵が差込まれているとき、スマートロックに前記設定ツールの暗証番号がある場合、設定ツール差込みホール（２６）に差込まれた電子鍵の暗証番号はスマートロック内に保存されることを特徴とする請求項１９記載の方法。
【請求項２１】
前記取り消し操作を実行したとき、前記設定ツールをスマートロックホールに差込み、同時に設定ツール差込みホール（２６）に１つの電子鍵が差込まれているとき、スマートロックに前記設定ツールの暗証番号がある場合、スマートロックは特定信号により制御装置（１６）でスマートロックと接続している鍵の暗証番号をクリアするか、全ての鍵の暗証番号をクリアするか、または全ての鍵の暗証番号と設定ツールの暗証番号をクリアすることを特徴とする請求項１９記載の方法。
【請求項２２】
前記設定ツールをスマートロックホールに差込み、同時に設定ツール差込みホール（２６）に１つの電子鍵が差込まれているとき、メモリ装置（１３）にいずれの設定ツールの暗証番号がない場合、制御装置（１６）は前記設定ツールの暗証番号をメモリ装置（１３）の特定保存ユニットに保存することを特徴とする請求項１９記載の方法。
【請求項２３】
前記特定信号は使用者の１つのスイッチ装置に対しての操作で発生したものであり、前記スイッチ装置はスマートロック、電子鍵または設定ツールのいずれのユニットにあることを特徴とする請求項１９記載の方法。
【発明の詳細な説明】
【０００１】
本発明は一種のマイクロパソコンで制御するスマート電子ロックに関し、幅広く民生用および工業用ドア、引出、戸棚、箱、交通ツール、機器設備などの領域に応用できる。
【０００２】
人類がロックを発明して以来、ロックは人類生活の中で代替できないほど重要な役割を果たしている。現在まで発展してきたロック技術は機械ロックと電子ロックとの、２種類に分けられる。機械ロックは構造簡単・低コストであるが、秘密保護が低く、よく間違えて開けられる。しかも、１つの鍵で１つのロックしか開けない。現代マイクロ電子技術の発展に従って人類は機械ロックの基礎で電子ロックを発明した。電子ロックは秘密保護が高くなり、間違えて開かれる可能性もほぼゼロになる。しかも１枚のカードで複数の同類のロックを開ける。しかし、既存の電子ロックは鍵を自己設定できず、その鍵の設定はロック以外のデスクトップパソコンで実現しなければならない。このため、複数のデスクトップパソコンのない場所（たとえば家庭、野外など）または複数のパソコンを使用できない人（たとえば農民、子供、お年寄りなど）の中で既存の電子ロックは幅広く普及応用できない。その後、人類は一般電子ロックの基礎で指紋電子ロックを発明した。これはロック開きに便利で鍵は必要ないが、コストが高く、体積も大きくて指紋の設定と取り消しは割合複雑である。既存の一般電子ロックと新しく発明した指紋電子ロックは内部にバッテリまたは電源装置を内蔵しなければならないので体積が大きくなることは避けられない。現在ドアのロックにしか使用実績がなく、まだ引出し、戸棚、箱、交通ツール、機械設備など複数の体積に制限のある場所に使用できない。それに、バッテリの有効期限が一般的に１〜１．５年間であるため、バッテリを内蔵している電子ロックについて人為的なミスで適時にバッテリを交換しなかった場合、前記ロックは開けなくなる。その結果はドアのロック壊しになるので非常に不愉快なことになる。
要するに、既存のロックは機械ロックであっても一般電子ロックであっても新しい指紋電子ロックであっても全て上記不足があるため、１人所有の鍵を全部１つの鍵に統一したり、１本の指に統一したりすることはできない。
【０００３】
本発明の目的は上記ロックの不足を克服して一種の便利に鍵を自己設定したり、鍵を取り消ししたりして複数のロックおよびドアロック・引出しロック・戸棚ロック・箱ロック・交通ツールロック・機械設備ロックなどを含む多種類用途のロックの鍵を全て１つに統一し、低コスト・使用便利なスマート電子ロックを提供することである。
【０００４】
本発明は一種の電源および専門暗証番号所有の電子鍵セット使用スマートロックを提供し、ハウジング、ロックホール、ロックコア、留め金装置、伝動機構、駆動ユニット、回路ボード、電子鍵との電気的接続用接点組およびロックホール体から構成され、回路ボードは駆動ユニットおよびロックホール内設置の電源供給およびデータ伝送の接点組とで電気的接続し、前記回路ボードは複数の暗証番号保存用メモリ装置、ロックの開きを制御して鍵に対して設定操作および取り消し操作をする制御装置を含み、前記制御装置は接点組を通じて接続した鍵内の暗証番号を読み取って前記暗証番号がメモリ装置で保存した複数の鍵暗証番号の１つと一致するかどうかをチェックし、一致する場合、駆動ユニットを制御してロックを開かれる状態にし、前記制御装置は受信した特定信号に従って該特定信号対応の電子鍵の設定操作または取り消し操作を実行し、本発明で実現したロックについて大きなロックであっても小さなロックであっても随意用途のロックでそのロックホールの形状・寸法・構造および電気的接続方式は全て同じであり、ロック内にバッテリまたは他の電源装置がなく、ロック内電源はロック開きの鍵から取得し、メモリ装置内で保存した若干の鍵の暗証番号はロックが使用中で若干の鍵に対して別々設定するときに発生したものである。
【０００５】
ここでいう鍵に対する設定はある鍵にあるロックを開ける権利をあげて前記鍵の暗証番号を前記ロックメモリ装置の暗証番号保存器に保存することであり、この設定の全過程は暗証番号の前記ロックでの登録とも言える。本発明によると、ロックで登録した鍵でしか前記ロックを開けない。ロック開きの過程は実質的にロック内のシステム制御装置がロック開きの鍵の暗証番号をチェック・認定する過程である。当然、鍵について登録することもできるし、取り消しすることもできる。ある鍵取り消しの過程は実質的にシステム制御装置１６が前記鍵の暗証番号をロック内の暗証番号保存器からクリアして前記鍵の前記ロックを開く権利を取り消しする過程である。
【０００６】
前記によると、ある鍵であるロックを開く必要条件は前記鍵の暗証番号がプリセットに前記ロック内で登録されたことである。したがってロック内メモリ装置の保存容量の大きさで１つのロックで最大幾つかの鍵を登録できるかが決められる。鍵暗証番号の大きさが二進法５６ビットであることで計算すると、現在メモリ装置（ＥＥＰＲＯＭ）の技術レベルでは１つのロックで最大１万個前後の鍵を登録することができる。
【０００７】
本発明は一種のスマートロックとセットで使用する電子鍵を提供し、ハウジング、バッテリ、ヘッド、ヘッド上の接点組およびメモリ装置から構成される。そのうち、電源供給およびデータ伝送用接点組の各接点はリード線を通じてバッテリの両端およびメモリ装置に接続する。前記メモリ装置は不揮発性メモリであり、プリセットされた専門鍵暗証番号を１つ保存できる。前記電子鍵で使用者操作用スイッチ装置も１つ入っている。使用者の前記スイッチ装置に対しての操作によって接点組で前記操作相応の特定信号が発生する。
【０００８】
本発明で実現した鍵について大きな鍵であっても小さな鍵であっても随意用途のロックの鍵でそのヘッドの形状・寸法・構造および電気的接続方式は全て同じである。鍵の暗証番号は製造時にプリセットに鍵のメモリ装置に保存し、暗証番号の長さは秘密保護の必要に応じて決められる。暗証番号の長さを二進法５６ビットとして設定する場合、十進法の１７ビット（数億億程度）相当になるのでいずれの２つの鍵は暗証番号重複の可能性がなく、１つの鍵でほぼ１つの唯一の暗証番号がある。
【０００９】
秘密保護を一層高めるため、メモリ装置は１枚のマイクロプロセッサーで実現できる。マイクロプロセッサーは保存および計算機能があり、鍵の暗証番号をマイクロプロセッサーのプログラムメモリ内に保存できる。その計算モードは製造時にロック内システム制御装置と規定がある。したがって鍵内の原始暗証番号はマイクロプロセッサーで計算して暗証化された後にロックから識別されるため、解析することは非常に難しい。
【００１０】
１つの鍵にとって製造完成後にいずれの新しいデータを書きこむ必要がないため、幾つかのロックを開けるかは制限無しで、無限でも可能である。
【００１１】
さまざまの設定および取り消し方式で形成したシステム構成について本発明に従って１つの鍵にほぼ１つの唯一の暗証番号があるが、１つの鍵を製造完成した後に必ずある確定のロックを前記鍵で開けるようにする必要はない。同じく、あるロックについても必ず１つの確定の鍵でセットする必要はない。本発明のロックと鍵は随意にセットにしたり、分けたりすることができる。複数のこのようなロックと複数のこのような鍵の間にいずれかの鍵をいずれかのロック用鍵として設定したり、取り消ししたりすることができる。ロックと鍵の組み合わせは人の要望に従ってロックの設定と取り消し機能で決まる。
【００１２】
本発明は一種の電子鍵およびスマートロックとセットで使用する設定ツールを提供し、ハウジング、鍵差込ホール、１つのプラグを含む接続装置およびメモリユニットを含むＩＣから構成される。前記プラグに接点組があり、マートロックのロックホールに差込まれてその中の接点組に接続することができる。鍵差込ホールの中に前記プラグの接点組に接続する接点組がある。接点組はＩＣに接続する。ＩＣの中に１つのプリセットされた前記設定ツールの暗証番号を保存する。
【００１３】
本発明はまた一種のスマートロックシステムを提供し、電子鍵ハウジング、バッテリ、ヘッド、ヘッド上の接点組およびメモリ装置から構成される。そのうち、電源供給およびデータ伝送用接点組の各接点はリード線を通じてバッテリの両端およびメモリ装置に接続する。前記メモリ装置は不揮発性メモリであり、プリセットされた専門鍵暗証番号を１つ保存できる。
【００１４】
スマートロックハウジング、ロックホール、ロックコア、留め金装置、伝動機構、駆動ユニット、回路ボード、電子鍵との電気的接続実現用接点組およびロックホール体から構成され、回路ボードは駆動ユニットおよびロックホール内設置の電源供給およびデータ伝送の接点組とで電気的接続し、前記回路ボードは複数の暗証番号保存用メモリ装置、ロックの開きを制御して鍵に対して設定操作および取り消し操作をする制御装置を含み、前記制御装置は接点組を通じて接続の鍵内の暗証番号を読み取って前記暗証番号がメモリ装置で保存した複数の鍵暗証番号の１つと一致するかどうかをチェックし、一致する場合、駆動ユニットを制御してロックを開かれる状態にし、前記制御装置は受信した特定信号により該特定信号対応の電子鍵の設定操作または取り消し操作を実行する。
【００１５】
本発明はまた一種のスマートロックを使用してセットの電子鍵に対して設定操作を実行する方法を提供する。前記電子鍵はバッテリおよび保存の専門暗証番号があり、前記スマートロックの中に前記ロックを開ける全ての電子鍵の暗証番号が保存され、前記方法は下記のようにステップがあり、スマートロックは電気的接続している少なくとも１つの電子鍵から電源を取得して動作し、前記少なくとも１つの電子鍵内の暗証番号がプリセットに前記スマートロック内で保存した暗証番号の１つと一致するかどうかを判断し、一致する場合、スマートロックは電子鍵に対して設定操作または取り消し操作を実行できるようになり、スマートロックは１つの電子鍵設定操作または取り消し操作実行要求の特定信号により前記特定信号対応の電子鍵設定操作または取り消し操作を実行し、前記方法で前記少なくとも１つの電子鍵とスマートロックとの電気的接続は１つの中間接続装置経由で実現してもよい。
【００１６】
本発明はまたもう一種のスマートロックを使用してセットの電子鍵に対して設定操作を実行する方法を提供し、前記電子鍵にバッテリおよび保存の専門暗証番号があり、前記スマートロックの中に前記ロックを開ける全ての暗証番号と１つの設定ツールの暗証番号が保存されている。前記設定ツールはスマートロックに接続して中間で電子鍵と前記スマートロックとで電気的接続を実現し、前記方法は、スマートロックは電気的接続している少なくとも１つの電子鍵から電源を取得して動作するステップ（１）と、前記設定ツールの中の暗証番号がプリセットに前記スマートロック内で保存した設定ツールの暗証番号と一致するかどうかを判断し、一致する場合、前記設定ツールで電子鍵およびその自身に対して設定操作または取り消し操作を実行できるようになるステップ（２）と、設定操作または取り消し操作を実行するステップ（３）と、を含む。
【００１７】
前記方法の１つの実施例で前記ステップ（３）の電子鍵取り消し操作は１つの使用者操作で発生した特定信号によってスマートロック内保存の全ての鍵暗証番号および設定Ｔスール暗証番号をクリアし、同時にスマートロックでその後の１個目の接続した設定ツールおよび鍵の暗証番号を保存して前記スマートロックが前記設定ツールを使用して設定操作または取り消し操作を実行できるようにする操作である。
【００１８】
前記方法の中で前記特定信号は使用者が特定の方式で１つの電子鍵またはスマートロックまたは設定ツール上設置のスイッチ装置を操作して発生したものである。
【００１９】
人のロック使用習慣およびロック使用心理の違いによって鍵の設定および取り消し方式も違う。したがって違う設定および取り消し方式に従って本発明は下記のように４種類のシステム構成技術案がある。
【００２０】
１、システム構成技術案の１
鍵で鍵を設定する（オフライン方式）のシステム構成
本発明で前記鍵を本発明で前記スマートロックを差込んで鍵で鍵を設定する（オフライン方式）回路システムを構成する。このようなシステム回路でロック内のメモリ装置が回路停電前に発生した人為操作信号（即ち特定信号）保存用停電保留保存器を含むようにして同時にシステムで唯一存在の人為操作信号（即ち特定信号）発生用スイッチ装置をロックまたは鍵に設置してロックまたは鍵の回路に接続させる。
【００２１】
２、システム構成技術案の２
鍵で鍵を設定する（オンライン方式）のシステム構成
２つの本発明で前記鍵を使用して１つのお互いにヘッド上の対応接点組を接続させるコネクタを通じて本発明で前記ロックに接続して鍵で鍵を設定する（オンライン方式）回路システムを構成する。そのうち、コネクタは鍵設定専用であり、ハウジング、プラグ、１個目差込みホール、２個目差込みホールと接点から構成される。接点組はプラグと１個目差込みホール、２個目差込みホールの内壁に分布する。プラグの形状・寸法・構造・接触ユニット位置および電気的接続方式は鍵のヘッドと同じであり、１個目差込みホールと２個目差込みホールの形状・寸法・接続ユニット位置および電気的接続方式は全て同じであり、ロックホール内とも同じである。プラグで分布した接点と同差込みホール内分布の接点とはお互いに絶縁し、リード線でこれら３者の対応接点を並列接続する。ロック内システム制御装置はシステムに２個目のデータ入力元があるかどうかをチェック・識別するチェック識別器がある。前記識別器は制御装置の中に存在し、同時にシステムの唯一の人為操作信号発生用スイッチ装置をロックまたは鍵またはコネクタに設置してその回路に接続させる。
【００２２】
３、システム構成技術案の３
設定ツールで鍵を設定するシステム構成
前のシステム構成技術案２に従って前記コネクタをそのうちの１つの鍵と一体に構成させ、元システム回路の各ユニット接続方法保持の状況で前記鍵のバッテリを外して構造を簡略化にして鍵設定専用設定ツールを形成する。前記設定ツールはハウジングと接続装置から構成され、１枚の前記設定ツール暗証番号保存用および接続装置に接続するＩＣがある。明らかに、本技術案は上記のシステム構成技術案２と比べると単なる機械構造の違いである。システム構成技術案２と類似でシステム制御装置はシステムに２個目のデータ入力元があるかどうかをチェック・識別するチェック識別器があり、同時に、システムの唯一の人為操作信号発生用スイッチ装置をロックまたは鍵またはコネクタに設置してその回路に接続させる。
【００２３】
４、システム構成技術案の４
多桁デジタルスイッチで鍵を設定するシステム構成
本発明で前記鍵を本発明で前記ロックに差込み、ロックにある多桁デジタルスイッチ装置をシステム制御装置に接続して多桁デジタルスイッチ装置で鍵を設定するシステム回路を構成する。前記多桁デジタルスイッチ装置は若干の独立スイッチ装置の組み合わせで一体になり、全ての独立スイッチ装置で人為でその上の回しボタンを回すことによってデータが発生する。これらのデータは二進法でもいいし、十進法でもいいし、他の進法でもいい。全ての独立スイッチ装置は回路ボードでシステム制御装置にある対応のパラレルデータ入力インターフェースに接続する。こうして若干のこの独立スイッチ装置はシステム制御装置にある若干のパラレルデータ入力インターフェースと別々に接続する。全ての独立スイッチ装置の動作状態が人為的回し操作で発生したものであるため、１組のこの独立スイッチ装置は１つの可変データ発生器または暗証番号発生器または２個目データ入力元と言える。
【００２４】
本発明のメリットは下記のようである。
【００２５】
１、１つの鍵で１つの前記鍵を代表する唯一の暗証番号があって、一般電子鍵のように１つのロックで前記ロックを代表する唯一の暗証番号があるということではないため、本発明で鍵でロックを開く過程はロックでロック内保存の鍵の暗証番号をチェックすることであり、一般電子鍵のようにロックで鍵内保存のロックの暗証番号をチェックすることではない。したがって鍵のデータメモリ装置の容量要求を大幅に低めて１つの鍵で無限複数のロックを開くことが可能になる。
【００２６】
２、鍵に製造完成後にいずれのデータを書き込む必要がないため、鍵の設定および取り消しはロックで完成することになる。したがって鍵のロックでの自己設定または取り消しは可能になる。
【００２７】
３、ロック内にバッテリまたは電源装置がないため、バッテリ失効または電源故障でロック・ドアを壊すことは無くなる。
【００２８】
４、ロック内にバッテリまたは電源装置がなくてロックの体積を大幅に縮小できるため、電子ロックは複数のロック体積に制限要求のある場所（たとえば引出し、戸棚、箱、交通ツール、機械設備など）で普及応用され、そのメリットを発揮できるようになる。
【００２９】
５、本発明の鍵の構造は暗証番号を伝送すると同時に一定の機械強度があるため、引き手のあるロックに使用し、暗証番号伝送だけに使用することもできるし、引き手のないロックに使用し、暗証番号伝送と同時にトルクを伝送してロックコアを動かしてロック開きを完成することもできる。したがって人のロック使用習慣を変更することは必要ない。
下記のように図面を添付して本発明の実施例を説明する。
【００３０】
本発明のスマートロックの実施例において、前記電子鍵設定操作は接続の電子鍵内の暗証番号をメモリ装置１３の中に保存して前記電子鍵が前記ロックの開きに使用できるようにする操作である。
【００３１】
本発明のスマートロックの実施例において、前記電子鍵に対しての取り消し操作はメモリ装置１３内で保存した暗証番号をクリアしてこれら暗証番号対応の電子鍵が前記ロックの開きに使用できないようにするか、メモリ装置１３内の接続鍵の暗証番号をクリアしてこの暗証番号対応の鍵が前記ロックの開きに使用できないようにする操作である。
【００３２】
本発明のスマートロックの実施例において、使用者操作用スイッチ装置もある。前記スイッチ装置は前記制御装置１６に接続する。使用者の前記スイッチ装置に対しての操作によって前記操作対応の信号が発生する。前記特定信号は制御装置１６に対応の鍵設定操作または取り消し操作をさせる。
【００３３】
本発明のスマートロックの実施例において、前記制御装置１６は接続の電子鍵から前記特定信号を受信する。
【００３４】
本発明のスマートロックの実施例において、前記制御装置１６は接続の１つの設定ツールから前記特定信号を受信する。
【００３５】
本発明のスマートロックの実施例において、前記メモリ装置１３に１つの前記設定ツール暗証番号保存用特定保存ユニットがある。
【００３６】
本発明のスマートロックの実施例において、そのうち、制御装置１６は接点組１７を通じて接続の設定ツールの暗証番号を読み取って前記暗証番号がメモリ装置１３の特定保存ユニットの中の設定ツール暗証番号と一致するかどうかをチェックする。一致する場合制御装置１６は受信した特定信号に従って鍵または同時に設定ツールに対して設定操作または取り消し操作を実行する。
【００３７】
本発明のスマートロックの実施例において、前記設定ツールの設定操作は前記ロックに差込まれた設定ツール内の暗証番号をメモリ装置１３の特定保存ユニットに保存し、制御装置１６に受信した特定信号に従って前記設定ツールまたは前記設定ツールで接続した鍵に対して設定操作または取り消し操作を実行させる操作である。前記設定ツールの取り消し操作は前記ロックに差込まれた設定ツール内の暗証番号をメモリ装置１３の特定保存ユニットからクリアし、制御装置１６が前記設定ツールまたは前記設定ツールで接続した鍵に対して設定操作または取り消し操作を実行できないようにする操作である。
【００３８】
本発明のスマートロックの実施例において、前記制御装置１６はロックホール７を通じて１つの前記ロックを開ける電子鍵に接続して１個目の特定信号を受信したときに回路ボード１５の不揮発性メモリユニットで１つの対応の記しを作成する。前記ロックホール７に差込まれて前記ロックを開けた電子鍵が抜き出されて、次の電子鍵が差込まれたときに制御装置１６は前記記しに従って前記差込まれた次の電子鍵の暗証番号をメモリ装置１３に保存する。
【００３９】
本発明のスマートロックの実施例において、前記制御装置１６はロックホール７を通じて１つの前記ロックを開ける電子鍵に接続して２個目の特定信号を受信したときに、前記２個目の特定信号に従ってメモリ装置１３で保存した鍵暗証番号を全てクリアする。
【００４０】
本発明のスマートロックの実施例において、少なくとも２個の電子鍵の接点組をロックホール７の中の接点組１７と電気的接続させるコネクタも構成部分である。前記コネクタはハウジング１９、ロックホール７差込み可能のプラグ２３、鍵差込可能の少なくとも１個目差込みホール２０および２個目差込みホール２１から構成される。プラグ２３に接点組２２があり、１個目差込みホール２０および２個目差込みホール２１にプラグ２３の接点組と対応して接続する接点組２２がある。
【００４１】
本発明のスマートロックの実施例において、前記コネクタは１つの使用者操作用スイッチ装置も含む。使用者の前記スイッチ装置に対しての操作によって接点組２２で前記操作対応の特定信号が発生する。
【００４２】
本発明のスマートロックの実施例において、前記コネクタをロックホール７に差込み、制御装置１６は１個目差込みホール２０と２個目差込みホール２１の２つの電子鍵の鍵暗証番号を別々に読み取る。そのうちの１つの鍵暗証番号がメモリ装置１３で保存した暗証番号と一致する場合、そのうちのもう１つの鍵暗証番号をメモリ装置１３に保存する。
【００４３】
本発明のスマートロックの実施例において、前記スマートロックに１つの使用者操作用で制御装置１６に何桁かの暗証番号を入力する多桁デジタルスイッチ装置もある。前記装置は制御装置１６に接続する。制御装置１６は前記多桁デジタルスイッチ装置入力の特定暗証番号に従って対応の電子鍵設定操作または取り消し操作を実行する。
【００４４】
本発明の設定ツールの実施例において、設定ツールの中に１つの使用者操作用スイッチ装置もある。使用者の前記スイッチ操作に対しての操作によって接点組２７で前記操作対応の特定信号が発生する。
【００４５】
本発明のスマートロックシステムの実施例において、電子鍵とスマートロックがある。また鍵設定用設定ツールもあり、ハウジング２５、鍵差込ホール２６、１つのプラグを含む接続装置２８およびメモリユニットを含むＩＣ２４から構成される。前記プラグに接点組２７があり、差込スマートロックのロックホール７に差込まれてその中の接点組１７に接続することができる。鍵差込ホール２６の中に前記プラグの接点組に接続する接点組２７がある。接点組２７はＩＣ２４に接続する。ＩＣ２４の中に１つのプリセットされた前記設定ツールの暗証番号を保存する。前記設定ツールをスマートロックのロックホールに差込み、同時に差込みホール２６に１つの電子鍵が差込まれたとき、スマートロックが前記設定ツールの暗証番号を認定した場合、設定ツールの差込みホール２６に差込まれた電子鍵の暗証番号がスマートロックに保存される。前記設定ツールをスマートロックのロックホールに差込み、同時に差込みホール２６に１つの電子鍵が差込まれたとき、スマートロックが前記設定ツールの暗証番号を認定した場合、スマートロックは特定信号に従って制御装置１６でスマートロックに接続した鍵暗証番号をクリアするか、全ての鍵暗証番号をクリアする。
【００４６】
本発明のスマートロックシステムの実施例において、制御装置１６は接点組１７を通じて接続した設定ツールの暗証番号を読み取って、前記暗証番号がメモリ装置１３特定保存ユニットでの設定ツール暗証番号と一致するかどうかをチェックする。一致する場合、制御装置１６は受信した特定信号に従って鍵または同時に設定ツールに対して設定操作または取り消し操作を実行する。
【００４７】
本発明のスマートロックシステムの実施例において、前記設定ツールの設定操作は前記ロックに差込まれた設定ツール内の暗証番号をメモリ装置１３の特定保存ユニットに保存し、制御装置１６に受信した特定信号に従って前記設定ツールまたは前記設定ツールで接続した鍵に対して設定操作または取り消し操作を実行させ操作である。記載設定ツールの取り消し操作は前記ロックに差込まれた設定ツール内の暗証番号をメモリ装置１３の特定保存ユニットからクリアし、制御装置１６が前記設定ツールまたは前記設定ツールで接続した鍵に対して設定操作または取り消し操作を実行できないようにする操作である。
【００４８】
本発明のスマートロックシステムの実施例において、前記設定ツールがスマートロックのロックホールに差込まれ、同時に差込みホール２６に１つの電子鍵が差込まれているとき、メモリ装置１３に前記設定ツールの暗証番号がない場合、制御装置１６は設定ツールの暗証番号をメモリ装置１３特定保存ユニットに保存する。
【００４９】
本発明のスマートロックシステムの実施例において、少なくとも２個の電子鍵の接点組をロックホール７の接点組１７と電気的接続させるコネクタも構成部分である。前記コネクタはハウジング１９、ロックホール７に差込み可能のプラグ２３、鍵差込可能の少なくとも１個目差込みホール２０および２個目差込みホール２１から構成される。プラグ２３に接点組２２があり、１個目差込みホール２０および２個目差込みホール２１にプラグ２３の接点組と対応して接続する接点組２２がある。
【００５０】
本発明のスマートロックシステムの実施例において、前記スマートロック、電子鍵、設定ツールおよびコネクタとの４つのユニットの中で１つのユニットだけに１つの使用者操作用スイッチ装置がある。使用者の前記スイッチ装置の操作によって特定信号が発生する。
【００５１】
本発明のスマートロックシステムの実施例において、制御装置１６はロックホール７を通じて１つの前記ロックを開ける電子鍵に接続して１個目の特定信号を受信したときに回路ボード１５の不揮発性メモリユニットで１つの対応の標識を作成する。前記ロックホール７に差込まれて前記ロックを開けた電子鍵が抜き出されて、次の電子鍵が差込まれたときに制御装置１６は前記標識に従って前記差込まれた次の電子鍵の暗証番号をメモリ装置１３に保存する。
【００５２】
本発明のスマートロックシステムの実施例において、制御装置１６がロックホール７を通じて１つの前記ロックを開ける電子鍵に接続して３個目の特定信号を受信したとき、制御装置１６はメモリ装置１３の中の鍵暗証番号を全てクリアする。同時に前記ロックホール７に差込まれた電子鍵が抜き出されて、次の電子鍵が差込まれたときに、制御装置１６は差込まれた前記次の電子鍵の暗証番号をメモリ装置１３に保存する。
【００５３】
１、鍵構造実施例
図１で示したようにメモリ装置６はＥＥＰＲＯＭ類メモリ装置で実現する。スイッチ装置３はシステム構成技術案の違いによって存在か不存在かが選択される。
【００５４】
２、ロックの構造実施例
図２で示したように、メモリ装置１３はＥＥＰＲＯＭ類メモリ装置で実現する。システム制御装置１６はマイクロプロセッサー（たとえば８９シリーズなど）のプログラム導入で実現する、または１枚のメモリ装置とマイクロプロセッサーを一体にしたＩＣで同時にメモリ装置１３とシステム制御装置１６で実現する。スイッチ装置３はシステム構成技術案の違いに従って存在か不存在かが選択される。図２の実施例の中に鍵の設定と取り消し操作を考えない場合そのロック開きの動作原理は下記のようである鍵のヘッド５をロックホール７内に差込むとき、前記鍵のバッテリ２はリード線を通じて接点組４および接点組１７でロック内に電源を提供する。システム制御装置１６は電源取得した後に先に鍵に暗証番号を確認する。前記鍵はメモリ装置６で保存した暗証番号を接点組４および接点組１７経由でシステム制御装置に伝送する。その後、システム制御装置１６の中のデータ比較器で前記鍵暗証番号を登録済みのメモリ装置１３の暗証番号保存器で保存した鍵暗証番号と一々比較する。１つも登録済み暗証番号が前記鍵の暗証番号と一致しない場合はシステム制御装置１６は睡眠状態に入り、前記鍵に対して何も動作しなくなる。１つの登録済み暗証番号が前記鍵の暗証番号と一致する場合、システム制御装置１６は１つの時限パルス電源を駆動ユニット１２に出力する。駆動ユニット１２は電動機でもいいし、電磁石でもいい。駆動ユニット１２は伝動機構１１経由でトルクの方向および形式を変換した後に留め金装置１０を水平移動させてロックコア９を移動させる。このとき、鍵回しでロックホール体７を回せばロックホール体７の右側にある延長棒はロックコア９を下のほうに動かせて鍵を開く。システム制御装置１６から駆動ユニット１２に出力した時限電源が予定時間を超えた場合、駆動ユニット１２は電源がなくなり、留め金装置１０はばねからロックコア９のほうに押される。このとき、逆方向で鍵を回してロックコアを一定の位置までに上げれば留め金装置１０の左側は再度ロックコア９の凹溝の中に落ちてロック閉めの動作を完成する。
【００５５】
当然、複数の既存機械ロックのように１つの引き手でロックホール体７を動かすまたは引き手でロックコア９を動かしてロック開きまたはロック閉めの動作を完成することも可能である。
【００５６】
３、システム構成技術案１の実施例
そのシステム回路ブロック図は図３または図４または図５で示したものである。本技術案実施例のシステムの中に１つの人為操作信号発生用スイッチ装置３がある。前記スイッチ装置３のシステムでの設置位置は割合自由であり、鍵の片側に設置してメモリ装置６に接続する（図３で示したように）、または鍵ヘッド５の接点４の関連接点に接続する（図５で示したように）ことでスイッチ装置３が人為操作で接続または切断されたときに鍵からロックに出力する信号を変更することもできるし、前記スイッチ装置３を鍵からロックに移動してそれをロックのシステム制御装置１６のあるデータ入力端に接続させる（図４で示したように）ことでスイッチ装置３の人為操作で前記データ入力端の入力状態を変更することもできる。本実施例ではスイッチ装置３を鍵に設置する（図３で示したように）。このスイッチ装置３の人為操作でシステム制御装置１６に流される信号は人為操作信号と呼ぶ。このほか、メモリ装置１３の中に回路停電の前に発生した人為操作信号を保存するための停電保留保存器がある。
【００５７】
本技術案実施例の鍵の設定と取り消し操作はスイッチ装置３で完成し、スイッチ装置３の人為操作によって設定と取り消しと２種類の人為操作信号が発生して鍵に対して設定と取り消し動作を実行する。本実施例は鍵設定の使用方式を下記のように設計する１つの前記ロックを開ける鍵Ａをロックホール７に差込んでロックを開いた後にスイッチ装置３を３秒間の間に通電・停電３回重複してから鍵Ａをロックホールから抜き出す。これでその後の１個目の前記ロックに差込まれる従来前記ロックを開けなかった鍵Ｂの暗証番号は無条件で前記ロックの中に登録される。よって鍵Ｂも前記ロックを開けるようになる。同時に本実施例の取り消し方式は下記のように設計する１つの前記ロックを開ける鍵Ａでロックを開いた後にスイッチ装置３を人為操作で通電または停電連続１０秒間以上実行する場合、前記ロックの暗証番号保存器の暗証番号（前記鍵Ａ自身の暗証番号を含む）は全てクリアされる。よって全ての鍵が取り消しされる。しかし、このとき暗証番号保存器の暗証番号は全てクリアされたが、システムはその後の１個目のロックに差込まれる鍵の暗証番号を無条件で前記ロックに登録させる。よって新しい鍵はロック開き権利を取得すると同時に其の他の鍵に対して設定と取り消しを実行する権利も取得できる。もちろんこの権利を放棄して他の鍵に対して取り消し動作を実行すると同時に自身を取り消しすることもできる。
【００５８】
本技術案で製造したロックは製造完成時にいずれの確定の鍵とセットする必要はない。図６はシステム構成技術案１の実施例のシステム制御装置１６プログラムフローチャートである。その動作原理は下記のようである鍵をロックホール７に差込むことで回路システム全体は通電されてシステム初期化を開始する。システム制御装置１６はまず鍵に暗証番号を確認し、鍵から入力したデータをシステム制御装置１６のバッファＡに保存して比較器でバッファＡの中のデータをメモリ装置１３の暗証番号保存器の登録済み暗証番号と一々比較する。そのうちの１つの暗証番号がバッファＡの中のデータと一致する場合、先に停電保留保存器をクリアしてからロック開き時限パルス電源を駆動ユニットに出力してロック開き動作を完成する。その後監視識別器でシステムの中で発生可能の人為操作信号に対して監視と識別をする。これは実質的にスイッチ装置３に人為操作があるかどうかを監視・識別することである。スイッチ装置３に人為操作が発生する場合、監視識別器はどの種類の操作であるかを識別し、鍵設定の操作であれば停電保留保存器に記しを登録する、鍵取り消し操作であれば先にメモリ装置１３の暗証番号保存器の暗証番号を全てクリアしてから停電保留保存器に記しを登録する。人為操作信号が識別されない場合、監視識別器は続けて監視する。前の比較の中で暗証番号保存器の暗証番号に１つもバッファＡのデータと一致するものがない場合、先に停電保留保存器の中に登録記しがあるかどうかをチェックし、登録記しがない場合システムは睡眠状態に入る。登録記しがある場合、バッファＡのデータを暗証番号保存器に保存してから停電保留保存器の中の登録記しをクリアする。
【００５９】
４、システム構成技術案２の実施例
そのシステム回路ブロック図は図９または図１０で示したものである。図の中に２つの鍵は１つのコネクタを通じてロックを並列接続する。接続実施例の立体分析図は図７で示したものである。前のシステム構成技術案１と類似で、システムの中に１つの人為操作信号発生用スイッチ装置３がある。前記スイッチ装置３のシステムでの設置位置は割合自由であり、鍵（図９で示したように）またはコネクタ（図１０で示したように）に設置してスイッチ装置３が人為操作されるときに鍵からロックに入力する信号を変更させることもできるし、前記スイッチ装置３を鍵またはコネクタからロックに移動して（図省略）、それをロックのシステム制御装置１６のあるデータ入力端に接続させてスイッチ装置３が人為操作されるときで前記データ入力端の入力状態を変更することもできる。本実施例ではスイッチ装置３をコネクタに設置する（図１０で示したように）。このほか、システム制御装置１６の中にシステムに２個目のデータ入力元があるかどうかをチェック・識別するチェック識別器がある。
【００６０】
本実施例の鍵設定操作は下記のように設計する１つの前記ロックを開ける鍵Ａを使ってもう１つの従来前記ロックを開けなかった鍵Ｂを設定する。先に２つの鍵をコネクタの１個目差込みホール２０と２個目差込みホール２１に別々に差込み、コネクタのプラグ２３をロックホール７の中に差込む。このとき、２つの鍵のバッテリは一体に接続されて同時にシステムに電源を供給する。システム通電動作後、もう１つの従来前記ロックを開けなかった鍵Ｂの暗証番号を無条件でロックの中に登録する。よって鍵Ｂも前記ロックを開けるようになる。同時に本実施例は取り消し方式を下記のように設定する１つの前記ロックを開ける鍵Ａをコネクタのいずれの差込みホールに差込んでコネクタのプラグ２３をロックホールに差込んだ後、コネクタのスイッチ装置３を人為操作で連続通電または停電１０秒間以上する場合、ロックの暗証番号保存器での鍵Ａ以外の鍵の暗証番号は全て取り消しされる。よって鍵Ａ以外の鍵は全て前記ロックを開けなくなる。本実施例で製造したロックは製造完成時に少なくとも１つの前記ロックを開ける鍵とセットしなければならない。当然、本実施例も前記の技術案１の実施例と類似な取り消し方式を採用することでいずれの確定の鍵とセットしないこともできる。
【００６１】
図１１はシステム構成技術案２実施例のシステム制御装置１６のプログラムフローチャートであり、その動作原理は下記のようである２つの鍵を１つのコネクタで接続した後、システムは通電リセットされ、システム初期化を開始する。システム制御装置１６のチェック識別器は先にシステムの中に２個目のデータ入力元があるかどうかをチェック・識別する。このときのチェック識別結果は２個のはずである。その後システム制御装置１６はコネクタの１つの差込みホール内鍵暗証番号を読み込んでバッファＡに保存した後に比較器でバッファＡとメモリ装置１３の暗証番号保存器内のデータを一々比較する。暗証番号保存器内のデータの１つがバッファＡと一致する場合、コネクタのもう１つの差込みホール内の鍵暗証番号をマイクロプロセッサー１６のバッファＢに読み込んで保存してバッファＢの中のデータをメモリ装置１３の暗証番号保存器内に保存して従来前記ロックを開けなった鍵の登録を完成する。比較器比較でバッファＡの中のデータが暗証番号保存器の中のデータと１つも一致しない場合、コネクタのもう１つの差込みホール内鍵暗証番号をバッファＢに読み込んで保存し、比較器でバッファＢと暗証番号保存器の中のデータを一々比較し、その中の１つのデータがバッファＢと一致する場合、バッファＡの中の暗証番号を暗証番号保存器に保存して従来前記ロックを開けなかった鍵の登録を完成する。比較器比較でバッファＢの中のデータが暗証番号保存器のデータと１つも一致しない場合、前記２つの鍵全部前記ロックを開けないことであり、システムは睡眠状態に入り、何も動作しなくなる。１つの鍵でコネクタを通じてシステムに接続する場合、システム通電リセット後システムの中に２個目のデータ入力元があるかどうかをチェック識別器でチェック識別するときのチェック識別結果は“１つだけである”のはずであり、その後、鍵からの入力データを読み込んでバッファＡに送信する。比較器でバッファＡと暗証番号保存器のデータを一々比較し、その中のデータ１つもバッファＡのデータと一致しない場合、システムは睡眠状態に入り、何も動作しなくなる、暗証番号保存器の１つのデータがバッファＡと一致する場合、ロック開き時限パルス電源を駆動ユニット１２に出力してロック開き動作を完成する。その後、監視識別器はシステムでの発生可能の人為操作信号を監視・識別する。これは実質的にスイッチ装置３に人為操作があるかどうかを監視・識別することである。スイッチ装置３に人為操作信号が発生し、操作要求に符合する信号である場合、暗証番号保存器の中のバッファＡと違うデータを全てクリアし、今回のロック開きの暗証番号を保留して其の他の鍵暗証番号を全て取り消しする。システムの中に人為操作信号がないまたは人為操作信号が要求に符合しない場合、監視識別器は続けて監視する。
【００６２】
５、システム構成技術案３の実施例
前記説明で分かるように、本システム構成技術案は実質的に前記システム構成技術案２の機械構造上の変形である。その実施例のシステム回路ブロック図は図１２で示したものである。その中の設定ツール実施例の立体分析図は図８の示したように、ハウジング２５、ＩＣ２４、接続装置２８、差込みホール２６、接点２７とリード線から構成される。接点２７は接続装置２８と差込みホール２６の内壁に分布してお互いに絶縁である。本実施例の中に接続装置２８はプラグの形で出て差込ホール２６と別々に前記技術案２のコネクタのプラグ２３と１個目差込みホール２０または２個目差込みホール２１と形状・寸法・構造・接点位置および電気的接続方式上で完全に同じである。ＩＣ２４は前記設定ツールの暗証番号を保存してあり、接続装置２８に接続する。前記設定ツールの暗証番号はプリセットにロックの中に保存される。前記設定ツールを使って鍵を設定する場合、先に設定待ちの鍵のヘッド３を前記設定ツールの差込みホール２６に差込んでからその接続装置２８をロックホール７の中に差込む。よって前記鍵の暗証番号は無条件でロックの中に登録されて前記鍵で前記ロックを開けるようになる。本技術実施例の鍵取り消し方式は前記技術案２の実施例と同じであり、スイッチ装置３が人為操作で連続１０秒間以上通電または停電される場合、ロック暗証番号保存器の前記設定ツール暗証番号以外の鍵暗証番号は全て取り消しされ、全ての鍵は前記ロックを開けなくなる。本実施例で製造したロックは製造完成時に少なくとも１つの確定の設定ツールとセットしなければならない。もちろん、前記技術案１の実施例と類似の取り消し方式を完全採用することでいずれの設定ツールとセットしないこともできる。
【００６３】
図１２のように、鍵、ロックと設定ツールが並列接続してシステム回路を構成するため、システム回路変動無しの状態で設定ツールはロックと結合する、または鍵と結合することができる。したがって前記設定ツールの前記構造形式も差込みホール２６を省略して接続装置２８を１つ他の形のコネクタに変更することもできる。差込ホール２６を省略して同時に接続装置２８を１つ他の形のコネクタに変更する場合、関連のロックまたは鍵に対応のコネクタを設置してそれとセットしなければならない。鍵設定するときに鍵をロックホール内に差込んで前記設定ツールはロックまたは鍵上の対応のコネクタに接続する。
【００６４】
前記システム構成技術案１と２つの実施例と類似で、システムの中に１つの人為操作信号発生用スイッチ装置３がある。前記スイッチ装置３のシステムでの設置位置は割合自由であり、鍵またはロックに設置する（図省略）こともできるし、前記スイッチ装置３を設定ツールに設置することもできる。本実施例ではそれを設定ツールに設置する（図１２による）。このほか、システム制御装置１６の中にシステムの中に２個目のデータ入力元があるかどうかをチェック・識別するチェック識別器がある。前記システム構成技術案２の実施例と比べて本システム構成技術案実施例は機械構造に変更ある以外、回路の動作原理およびシステム制御装置１６のプログラムフロー（図１１による）は全て前記システム構成技術案２の実施例と同じである。
【００６５】
６、システム構成技術案４の実施例
そのシステム回路ブロック図は図１３で示したものである。図の中に１つの多桁デジタルスイッチ装置３はシステム制御装置１６に接続する。本実施例ではロックを製造するときに２種類の暗証番号をプリセットにロックの中のマイクロプロセッサー１６またはメモリ装置１３の中に保存する。１種類は設定コードであり、鍵設定時に前記多桁デジタルスイッチ装置形成のデータを人為でロックのプリセット保存の設定コードと同じように設定すればロックに差込まれた従来前記ロックを開けなかった鍵は無条件でロックに登録され、前記鍵で前記ロックを開けるようになる。もう１種類は取り消しコードであり、前記多桁デジタルスイッチ装置３形成のデータを人為でロックのプリセット保存の取り消しコードと同じように設定して同時にロックに差込まれる鍵が前記ロックを開ける鍵である場合、ロックの暗証番号保存器のデータは全てクリアされ、全ての鍵に対しての取り消しを完成する。多桁デジタルスイッチ装置３は回路ボード１５に設置される。本実施例用多桁デジタルスイッチ装置３二進法デジタルスイッチ（二進法デジタルスイッチはオン・オフと２つの状態しかない）を例とする。鍵の設定操作であっても取り消し操作であっても操作者は操作完成後多桁デジタルスイッチ３を関係ないデータに回して暗証番号を暗証して他人からの暗証番号盗用を防止しなければならない。
【００６６】
図１４は本システム構成技術案４実施例のシステム制御装置１６のプログラムフローチャートであり、その動作原理は下記のようである鍵をロックホール７に差込んだらシステムは通電リセットされ、システム初期化を開始する。システム制御装置１６は鍵から入力した暗証番号を読み込んでバッファＡに送信し、比較器でバッファＡとメモリ装置１３の暗証番号保存器内のデータと一々比較する。その中１つのデータがバッファＡのデータと一致する場合、ロック開き時限パルス電源を駆動ユニット１２に出力してロック開き動作を完成する。その後監視識別器で多桁デジタルスイッチ装置３形成のデータが取り消しコードと一致するかどうかを監視・識別し、一致しない場合システムは睡眠状態に入る。一致する場合、暗証番号保存器の中の鍵暗証番号を全てクリアする。前記比較器比較でバッファＡと暗証番号保存器の中のデータとが全て一致しない場合、監視識別器で多桁デジタルスイッチ装置３形成のデータが設定コードと一致するかどうかを監視・識別し、一致しない場合システムは睡眠状態に入る。一致する場合、バッファＡの中のデータを暗証番号保存器に保存して前記鍵に対しての設定を完成する。
【００６７】
本発明の上記４種類のシステム構成技術案は人のロック使用習慣とロック使用心理に従って製造者からいずれかの１種類または何種類かを選択して実施することができる。
【図面の簡単な説明】
【図１】
本発明での電子鍵実施例の構造分析図である。
【図２】
本発明でのスマートロック実施例の構造分析図である。
【図３】
本発明システム構成技術案１の実施例において、スイッチ装置３を鍵の片側に設置してメモリ装置６に接続させるシステム回路ブロック図である。
【図４】
本発明システム構成技術案１の実施例において、スイッチ装置３をロックの片側に設置するシステム回路ブロック図である。
【図５】
本発明システム構成技術案１の実施例において、スイッチ装置３を鍵の側に設置して接点組４の中の接点に接続させるシステム回路ブロック図である。
【図６】
本発明システム構成技術案１の実施例におけるシステム制御装置１６のプログラムフローチャートである。
【図７】
本発明システム構成技術案２の実施例におけるコネクタの立体分析図である。
【図８】
本発明システム構成技術案３の実施例における設定ツールの立体分析図である。
【図９】
本発明システム構成技術案２の実施例において、スイッチ装置３を鍵の片側に設置するシステム回路ブロック図である。
【図１０】
本発明システム構成技術案２の実施例において、スイッチ装置３をコネクタの片側に設置するシステム回路ブロック図である。
【図１１】
本発明システム構成技術案２とシステム構成技術案３の実施例におけるシステム制御装置１６のプログラムフローチャートである。
【図１２】
本発明システム構成技術案３の実施例におけるシステム回路ブロック図である。
【図１３】
本発明システム構成技術案４の実施例におけるシステム回路ブロック図である。
【図１４】
本発明システム構成技術案４の実施例におけるシステム制御装置のプログラムフローチャートである。
【図３】
2004514080.tif 000003
【図４】
2004514080.tif 000004
【図５】
2004514080.tif 000005
【図６】
2004514080.tif 000006
【図９】
2004514080.tif 000007
【図１０】
2004514080.tif 000008
【図１１】
2004514080.tif 000009
【図１２】
2004514080.tif 000010
【図１３】
2004514080.tif 000011
【図１４】
2004514080.tif 000012
【国際公開パンフレット】
2004514080.tif 000013
2004514080.tif 000014
2004514080.tif 000015
2004514080.tif 000016
2004514080.tif 000017
2004514080.tif 000018
2004514080.tif 000019
2004514080.tif 000020
2004514080.tif 000021
2004514080.tif 000022
2004514080.tif 000023
2004514080.tif 000024
2004514080.tif 000025
2004514080.tif 000026
2004514080.tif 000027
2004514080.tif 000028
2004514080.tif 000029
2004514080.tif 000030
2004514080.tif 000031
2004514080.tif 000032
2004514080.tif 000033
2004514080.tif 000034
2004514080.tif 000035
2004514080.tif 000036
2004514080.tif 000037
2004514080.tif 000038
2004514080.tif 000039
2004514080.tif 000040
2004514080.tif 000041
2004514080.tif 000042
2004514080.tif 000043
2004514080.tif 000044
2004514080.tif 000045
2004514080.tif 000046
2004514080.tif 000047
2004514080.tif 000048
2004514080.tif 000049
2004514080.tif 000050
2004514080.tif 000051
2004514080.tif 000052
2004514080.tif 000053
2004514080.tif 000054
2004514080.tif 000055
2004514080.tif 000056
【国際調査報告】
2004514080.tif 000057
2004514080.tif 000058
2004514080.tif 000059
2004514080.tif 000060